(57)【要約】      （修正有）【課題】一度に多くの犬を一緒に散歩させる事ができ、引きの強い中型犬以上の犬に対して、下半身が安定し、肩、手他の負担をやわらげる犬の散布時に使用する腰ベルトを提供する。【解決手段】前方になる端部に止め具を設け前方部より幅が広い後部を形成し、左右側面外側に複数の球状凸部を設けるベルト本体と、凹部を設け前記本体ベルト凸部と嵌合する先端部分に止め具を設ける別体の小ベルト、袋を着脱自在に設けて成る犬との散歩用腰ベルト。【選択図】図３
0003110333.tif 000002
【実用新案登録請求の範囲】
【請求項１】
前方になる端部に止め具を設け前方部より幅が広い後部を形成し、左右側面外側に複数の球状凸部を設けるベルト本体と、凹部を設け前記本体ベルト凸部と嵌合する先端部分に止め具を設ける別体の小ベルト、袋を着脱自在に設けて成る犬との散歩用腰ベルト。
【考案の詳細な説明】
【技術分野】
【０００１】  この考案は一度に多くの犬、又は引きが強い犬にも安心して散歩することが出来、又、携帯電話や糞用ポシェット他を自由に装着することが出来、犬との散歩を安全に楽しくすることを目的とした腰ベルトに関するものである。
【背景技術】
【０００２】  従来、犬の散歩時、胴輪、首輪等をリードにつなげる方法、犬等のペットの首周りに装着される首輪と、この首輪に一端が接続されるリードと、ペットを散歩させる人間の胴部に装着され、前期リードの他端が接続される胴部装着ベルトを具備した物や、ワンタッチで止められる人のウェストベルトに、犬用ベルトをつなぎ、ウェストベルトに犬綱をかける為の予備ホルダーを複数取り付けた物や、散歩者の腰部にベルト状の物を装着し、その上を体を軸に３６０°自由に移動するコネクターを作成し、従来の綱を遠隔にする物や、人の腰ベルトの側面に着脱可能な引き綱につなげているものが知られている。【０００３】
【特許文献１】特開２０２ー１１２６５９号  公報
【特許文献２】特開平９ー２７１２８７号  公報
【特許文献３】特開２００２ー２３８３９５号  公報
【特許文献４】特開２００４ー２５４６７８号  公報
【特許文献５】特開２００２ー１１２６５９号  公報
【特許文献６】実用新案登録  第３１０３９６３号  公報
【特許文献７】実用新案登録  第３０９６８３３号  公報
【特許文献８】実用新案登録  第３０８７３４１号  公報
【考案の開示】
【考案が解決しようとする課題】
【０００４】  従来の物は、一度に多くの犬、又、引きが強い犬を散歩しようとすると、ベルトの大きさが一定の為、腰部分に負担がかかる。犬からつながっているひもが動く為不安定である。
【課題を解決する為の手段】
【０００５】  前方になる端部に止め具を設け前方部より幅が広い後部を形成し、左右側面外側に複数の球状凸部を設けるベルト本体と、凹部を設け前記本体ベルト凸部と嵌合する先端部分に止め具を設ける別体の小ベルト、袋を着脱自在に設けて成る犬との散歩用腰ベルトとして詳審を解決している。
【考案の効果】
【０００６】一度に多くの犬を一緒に散歩させる事ができる。
引きの強い中型犬以上の犬に対してベルトを装着する事により、下半身が安定し、肩、手他の負担をやわらげる。
両手が比較的自由になる。
着脱式携帯電話用のポシェットを装着することにより、連絡等がしやすい。
着脱式糞用ポシェットを装着することにより、犬が糞をした後の始末がしやすく、収納する為、衛生的である。
以上の効果を考え、犬と人とが安全で楽しく散歩する事ができる。
【考案を実施する為の最良の形態】
【０００７】以下本考案の形態を図１〜図８に基づいて説明する。
図１は本体ベルト１の斜視図である。１は本ベルト１である。１ー１は先端止め具であり本体ベルト１を身体と着脱する時に使用する。１ー２は本体ベルト１の前方部であり、後方部１ー３より幅が狭くなっている。１ー３は本体ベルト１の後方部である。前方部１ー２より幅が広くなっていて、腰上に安定させるようになっている。１ー４は球状の凸部である。主に金属で出来ていて、小ベルト２ー１凹部と嵌合させることにより、本体ベルト、小ベルトを一体化させる物である。１ー５は不慮の緊急時にワンタッチで着脱させる事ができる安全装置である。
図２は小ベルト２正面図である。２ー１は凹部である。主に金属で出来ていて本体ベルト凸部１ー４と嵌合させる事で本体ベルト１と一体化させる事ができる物である。２ー２は先端部止め具である。先端止め具２ー２を開いた状態でリードを挟めて止め具２ー２を止めることにより，本体ベルト１とリード、犬が結びつく事ができる。
図３は本体ベルト１と小ベルト２の側面図である。本体ベルト１に対して小ベルト２を回し固定化する前の状態である。小ベルト凹部２ー１と本体ベルト凸部１ー４がまだ嵌合してない状態である。
図４は本体ベルト１、小ベルト２が装着された側面図である。本体ベルト凸部１ー４が小ベルト凹部２ー１が完全に嵌合した状態であり、簡単にはずす事が不可能になり、本体ベルト１と一体化し安定する。
図５は本体ベルト１、小ベルト２を装着した全体図である。本体ベルト１に対して小ベルト２が複数装着可能である事がこれによってわかる。
図６は付属品１携帯用ポシェット３の正面図である。携帯電話が入る大きさであり、散歩時に簡単に取りだせるよう３ー１がワンタッチの金属で出来ている。
図７は付属品２糞用袋４である。４ー１の止め具を押すとワンタッチで開き、糞の後始末がしやすく、又、収納もしやすい。  よって散歩時に急に犬が排便した場合に便利である。
図８は本体ベルトと携帯電話袋３と、糞用収納袋４を装着した図である。それぞれ別体の携帯袋３、糞用袋４が一体化された状態である。よって散歩時に緊急の電話または排便他に対してベルトをはずす事なく、両手でその目的を行なう事ができる。その他本考はベルト本体は革製品他の丈夫な素材の物が望ましい。又、装着袋は鍵やメモ帳、その他ウォークマン、小型ラジオ他、多類に渡って袋自体のかたちや大きさを変える事により変化しうる物である。
【図面の簡単な説明】
【０００８】
【図１】  本発明本体の本体ベルト斜視図
【図２】  本発明本体の小ベルト正面図
【図３】  本発明の本体ベルトと小ベルトを嵌合させる前の図
【図４】  本発明の本体ベルトと小ベルトを嵌合させた図
【図５】  本発明の本体ベルトと小ベルトを嵌合させた全体図
【図６】  本発明の付属品１、携帯電話用小袋
【図７】  本発明の付属品２、犬の糞用小袋
【図８】  本発明の本ベルトと付属１、２を装着させたもの
【符号の説明】
【０００９】  １ベルト本体
１ー１先端止め具
１ー２ベルト本体前方部
１ー３ベルト本体後方部
１ー４ベルト本体付属凸部
１ー５着脱器具
２小ベルト本体
２ー１小ベルト凹部
２ー２小ベルト先端止め具
３携帯電話ポシェット
３ー１先端止め具
４糞用、他ポシェット
４ー１先端止め具
【図１】
0003110333.tif 000003
【図２】
0003110333.tif 000004
【図３】
0003110333.tif 000005
【図４】
0003110333.tif 000006
【図５】
0003110333.tif 000007
【図６】
0003110333.tif 000008
【図７】
0003110333.tif 000009
【図８】
0003110333.tif 000010
【手続補正書】
【提出日】平成17年2月16日(2005.2.16)
【手続補正１】
【補正対象書類名】実用新案登録請求の範囲
【補正対象項目名】全文
【補正方法】変更
【補正の内容】
【実用新案登録請求の範囲】
【請求項１】
前方部より後方部のベルト幅が広く形成されているとともに、腰に着脱するためのベルト止め具を備え、ベルト外側面に複数の嵌合用凸部を設けているベルト本体と、
このベルト本体に着脱自在に取り付けるために前記嵌合用凸部に嵌合される嵌合用凹部を設けているとともに、犬をつなぐリード端部を連結するためのリード止め具を先端部分に備えている小ベルトと、
前記ベルト本体に着脱自在に取り付けられる袋と
を有することを特徴とする犬の散歩用腰ベルト。
【手続補正２】
【補正対象書類名】明細書
【補正対象項目名】０００４
【補正方法】変更
【補正の内容】
【０００４】  本考案は、前方部より後方部のベルト幅が広く形成されているとともに、腰に着脱するためのベルト止め具を備え、ベルト外側面に複数の嵌合用凸部を設けているベルト本体と、このベルト本体に着脱自在に取り付けるために前記嵌合用凸部に嵌合される嵌合用凹部を設けているとともに、犬をつなぐリード端部を連結するためのフック等のリード止め具を先端部分に備えている小ベルトと、前記ベルト本体に着脱自在に取り付けられる携帯電話や犬の糞等を収納する袋とを有することを特徴とする犬の散歩用腰ベルトである。